(57)【要約】【課題】少量の凝結水（除湿水）でもフィンに付着した塵埃などの汚れを自動的に除去可能な空気調和機を得ることを目的とする。【解決手段】この発明による空気調和機は、通風路が空気吸入口と空気吐出口との間に形成される筐体と、通風路の経路中に配設される熱交換器と、通風路の経路中に熱交換器の下流側に配設されるファンと、を有する室内機を備え、一辺縁部に沿って形成される撥水性部および撥水性部を除く残りの領域に形成される親水性部を有する薄板を、撥水性部が形成された一辺縁部側を同一方向に向けて所定のピッチで互いに平行に配列した多数枚のフィンと、多数枚のフィンを貫通して配設された冷媒配管とで構成される熱交換器が、撥水性部が形成されたフィンの一辺縁部側を吸気側に向けて、かつ、フィンの配列方向を水平にして配設されている。【選択図】図５
2007192513.tif 000002
【特許請求の範囲】
【請求項１】
通風路が空気吸入口と空気吐出口との間に形成される筐体と、上記通風路の経路中に配設される熱交換器と、上記通風路の経路中に上記熱交換器の下流側に配設されるファンと、を有する室内機を備えた空気調和機において、
一辺縁部に沿って形成される撥水性部および該撥水性部を除く残りの領域に形成される親水性部を有する薄板を、該撥水性部が形成された上記一辺縁部側を同一方向に向けて所定のピッチで互いに平行に配列した多数枚のフィンと、多数枚の上記フィンを貫通して配設された冷媒配管と、で構成される上記熱交換器が、上記撥水性部が形成された上記フィンの上記一辺縁部側を吸気側に向けて、かつ、上記フィンの配列方向を水平にして配設されていることを特徴とする空気調和機。
【請求項２】
上記撥水性部は、上記フィンの上記一辺縁部に沿って、５ｍｍ以上３５ｍｍ以下の幅に形成されていることを特徴とする請求項１記載の空気調和機。
【請求項３】
上記撥水性部に発生する凝結水の該撥水性部に対する接触角が９０度以上であることを特徴とする請求項１又は請求項２記載の空気調和機。
【請求項４】
上記撥水性部に発生し該撥水性部の表面を重力方向に移動する凝結水を上記フィンの一辺縁部側に誘導する流体誘導部が上記フィンの撥水性部に形成されていることを特徴とする請求項１乃至請求項３のいずれか１項に記載の空気調和機。
【請求項５】
上記流体誘導部は、上記フィンの上記撥水性部の形成領域に突設された切り起こし部であって、
上記切り起こし部は、上記撥水性部の幅方向の反一辺縁部側から上記一辺縁部側に向かって漸次重力方向に傾斜して延設されていることを特徴とする請求項４記載の空気調和機。
【請求項６】
上記流体誘導部は、上記フィンの上記撥水性部の形成領域に部分的に形成された親水性領域であって、
上記親水性領域は、上記撥水性部の幅方向の反一辺縁部側から上記一辺縁部に向かって漸次重力方向に傾斜するパターンに形成されていることを特徴とする請求項４記載の空気調和機。
【請求項７】
上記請求項１乃至請求項６のいずれか１項に記載の空気調和機の熱交換器のクリーニング方法において、
弱い気流を上記通風路に流通させつつ上記熱交換器を冷却させて、上記フィンの上記撥水性部に凝結水を発生させるようにしたことを特徴とする空気調和機の熱交換器のクリーニング方法。
【発明の詳細な説明】
【技術分野】
【０００１】
この発明は、熱交換器のフィンに付着した塵埃などの汚れを自動的に除去可能な空気調和機および熱交換器のクリーニング方法に関するものである。
【背景技術】
【０００２】
従来の空気調和機は、熱交換器と送風機を有する室内機、熱交換器と送風機と圧縮器とを有する室外機および圧縮機回転数変更手段を備えている。
圧縮機回転数変更手段によって圧縮機の回転数を高くすることによって、室内機の熱交換器の温度は下がる。すると室内機の熱交換器には除湿水が付着する。空気調和機の運転中に熱交換器に付着した空気中の塵埃などの汚れは、除湿水とともに、洗い流されていた（例えば、特許文献１参照）。
【０００３】
【特許文献１】特開平１１−５１４５０号公報
【発明の開示】
【発明が解決しようとする課題】
【０００４】
しかしながら、従来の空気調和機の熱交換器のフィンの両面の全面は親水化処理されている。そこで、除湿水が少量である場合には、除湿水は熱交換器のフィン表面を濡れ広がり、フィンに付着した水溶性の汚れは洗い流されるものの、水に溶けない塵埃等を洗い流す効果が得られない場合があった。
【０００５】
本発明は、上記の課題を解決するためになされたものであり、少量の凝結水（除湿水）でもフィンに付着した塵埃などの汚れを自動的に除去可能な空気調和機および熱交換器のクリーニング方法を得ることを目的とする。
【課題を解決するための手段】
【０００６】
この発明による空気調和機は、通風路が空気吸入口と空気吐出口との間に形成される筐体と、通風路の経路中に配設される熱交換器と、通風路の経路中に熱交換器の下流側に配設されるファンと、を有する室内機を備え、一辺縁部に沿って形成される撥水性部および撥水性部を除く残りの領域に形成される親水性部を有する薄板を、撥水性部が形成された一辺縁部側を同一方向に向けて所定のピッチで互いに平行に配列した多数枚のフィンと、多数枚のフィンを貫通して配設された冷媒配管とで構成される熱交換器が、撥水性部が形成されたフィンの一辺縁部側を吸気側に向けて、かつ、フィンの配列方向を水平にして配設されている。
【発明の効果】
【０００７】
この発明によれば、撥水性部がフィンの一辺縁部に沿った両面に形成されて、熱交換器が撥水性部を反ファン側（吸気側）に向けて配設されている。従って、撥水性部に生じる凝結水は球状に形成されるので、撥水性部の表面から塵埃などの汚れを剥離、吸収し、重力方向に容易に垂れ下がる。よって、フィンに付着している汚れが簡易に凝結水とともに除去され、熱交換器のクリーニングが効果的に行われる。
また、撥水性部が、汚れが最も付着しやすいフィンの空気吸入口側の長辺縁部に形成されているので、汚れを効果的に除去することができる。さらに、撥水性部の面積が少ないので、撥水性部には凝結水が多量に形成されず、凝結水が形成されすぎて、フィンのピッチを塞ぐようなブリッジを形成し、水が飛び散ることが未然に回避される。
【発明を実施するための最良の形態】
【０００８】
以下、この発明を実施するための最良の形態について、図面を参照して説明する。
実施の形態１．
図１はこの発明の実施の形態１に係る空気調和機の動作を説明するための模式図であり、図２はこの発明の実施の形態１に係る空気調和機の室内機の要部の構成をわかりやすく説明するために構成要素を部分的に切除した斜視図であり、図３はこの発明の実施の形態１に係る空気調和機の室内機の側面断面図であり、図４はこの発明の実施の形態１に係る空気調和機の第１の熱交換器の構成を説明するための斜視図であり、図５はこの発明の実施の形態１に係る空気調和機の熱交換器のフィン一枚ごとの形状を説明するための断面図であり、図６は接触角を説明するための断面図である。
【０００９】
図１において空気調和機１Ａは、室外機２と室内機３を有し、室外機２と室内機３は冷媒配管４によって結合されている。
室外機２には圧縮器５、凝縮器６、膨張弁７などを制御する制御手段２７などが配設されている。また、室内機３には筐体１１の内部に熱交換器９Ａ、ファン１０および凝結水を受けるドレンパン１８などが備えられている。
さらに空気調和機１Ａはドレンパン１８と室外を接続するドレンパイプ（図示せず）を備えている。
制御手段２７は、圧縮器５、凝縮器６、膨張弁７および室内機３などと電気的に接続されて、所望の室内の設定温度に応じてそれぞれを制御するようになっている。
【００１０】
空気調和機１Ａでは、冷媒（図示せず）が用いられている。例えば冷房運転では、冷媒は圧縮器５で圧縮されて高温高圧の状態で凝縮器６へ送られ、凝縮器６で、冷却されて液体化する。次に、液体化した冷媒は膨張弁７に送られ、膨張弁７で冷媒は気化しやすいように減圧されて、膨張弁７と室内機３を接続する冷媒配管４を通って、室内機３の熱交換器９Ａに送られる。液体化した冷媒は、熱交換器９Ａを通過する冷媒配管４の内部で室温によって温められて気化され、室内の熱を奪い、熱交換器９Ａと室外機２を接続する冷媒配管４を通って再び室外機２の圧縮器５へと戻るように循環する。
【００１１】
また、冷房運転時は、室内の除湿も同時におこなわれる。熱交換器９Ａが低温になると凝結水が熱交換器９Ａに発生し、重力方向に流れ出し、ついには熱交換器９Ａの重力方向側の下端に設けられたドレンパン１８で受け取られて、ドレンパイプを経由し室外へ排水される。
【００１２】
次に、空気調和機１Ａの室内機３の詳細構成について、図２および図３を参照しつつ説明する。
室内機３は、筐体１１、熱交換器９Ａ、ファン１０、フィルタ部２１、ドレンパン１８で構成されている。
筐体１１は、ベース１２、メインパネル１３ａ、底面パネル１４および側板１５ａ，１５ｂによって形成される。
【００１３】
ベース１２は、矩形平板状に形成され、室内機３を壁面に取り付ける面となる。
底面パネル１４はベース１２の長辺と同じ長さの長辺を有する矩形平板状に形成されて、ベース１２の下部長辺に底面パネル１４の長辺を合わせて、ベース１２の表面に対して垂直に突出するように固定されている。
メインパネル１３ａが、ベース１２の上部長辺と底面パネル１４の突出先端側の長辺とをアーチ状の曲面で接続するように配設されている。
側板１５ａ，１５ｂがベース１２、メインパネル１３ａおよび底面パネル１４によって形成される開口面を塞口するように取り付けられている。
【００１４】
このように構成される筐体１１は内部が中空体に形成されている。
ここで、室内機３は、底面パネル１４が水平面と平行にかつ筐体１１の最下面となるように配設されるものとする。
また、アーチ状の曲面に形成されたメインパネル１３ａの上部側には、空気吸入口１６ａが桟状に形成されている。さらに、空気吐出口１７が、底面パネル１４を長方形にくりぬいて形成されている。
筐体１１の内部には、空気吸入口１６ａから空気吐出口１７に通ずる通風路１９が形成されている。
通風路１９には、円柱状のファン１０が、その軸をベース１２の長辺と平行になるように配設される。さらに、熱交換器９Ａは、第１の熱交換器９ａと第２の熱交換器９ａ’で構成されている。そして第１の熱交換器９ａと第２の熱交換器９ａ’とで通風路１９内の気流の上流側でファン１０をヘの字状に覆うように配設されている。さらに、ドレンパン１８が、第１の熱交換器９ａと第２の熱交換器９ａ’の底面パネル１４側の下端をそれぞれ覆うように配設される。
【００１５】
また、側板１５ａ，１５ｂの相対する内壁面には、メインパネル１３ａの円弧状の辺に沿うように以下に説明するフィルタ部２１のレール部に対応する凹部（図示せず）が形成されている。
フィルタ部２１は、詳細には図示しないが、長方形の枠状に形成される。そして、細長い矩形平板状に形成されるレール部が、フィルタ部２１の枠の短辺の長さ方向の全域に渡って、枠の両短辺の外壁面に固定される。さらに、エアフィルタが、枠の表面全体を覆うように配置され、枠の表面に接着等で固定される。ここで、エアフィルタ材料は、ポリプロピレンからなるポリオレフィンなどの織物が用いられる。
さらに、フィルタ部２１は柔軟性があり、短辺が円弧状に湾曲した曲面形状に変形可能になっている。
【００１６】
フィルタ部２１は、そのレール部を側板１５ａ，１５ｂに形成されたそれぞれに対応する凹部に挿入することにより、側板１５ａ，１５ｂに支持された状態で筐体１１に装着される。
このとき、フィルタ部２１は、空気吸入口１６ａと第１の熱交換器９ａとの間に、通風路１９を遮るように装着されている。
【００１７】
次に、への字状に配設されている熱交換機９Ａのうち、ファン１０と空気吸入口１６ａとの間に配設される第１の熱交換器９ａの構造について図４，図５を参照しつつ説明する。
【００１８】
第１の熱交換器９ａは、冷媒配管４およびフィン２３から構成される。
フィン２３は、アルミニウム製であり、平行四辺形の平面形状を有する薄板に形成されている。また、フィン２３は、親水性および撥水性の表面処理が施されており、撥水性部８がフィン２３の一方の長辺から他方の長辺側に１５ｍｍの幅でフィン２３の両面に形成され、親水性部２４がフィン２３の残りの領域に形成されている。なお、撥水性の表面処理は、カップリング剤をフィン２３の表面に塗布して行われ、親水性の表面処理は、親水性の高分子材料をフィン２３の表面にコーティングして行われる。
【００１９】
第１の熱交換器９ａは、このように形成された多数枚のフィン２３が、その撥水性部８を揃えて、板厚方向に微小なピッチで互いに平行に配列され、冷媒配管４が多数のフィン２３を貫通している。このとき、１本の冷媒配管４が、蛇行して、フィン２３の群をフィン２３の板厚方向に２列５行に貫通して配列され構成されている。なお、フィン２３の短辺の長さ方向が列方向、長辺の長さ方向が行方向である。さらに、冷媒配管４は、各フィン２３の貫通部で各フィン２３と固着されている。
【００２０】
ここで、接触角について定義する。接触角は、図６に示されるように、フィン２３の表面に滴下された凝結水２８の液滴の外形の円弧とフィン２３の表面との境界点における液滴の円弧の接線と液滴の内部側のフィン２３の表面との間の角度により定義される。
撥水性部８での接触角は９０度以上であれば実用上問題ないが、１００度以上であればさらに効果的にフィン２３のクリーニングが行われる。このとき、撥水性部８に生じる凝結水２８は、球状に形成されて、撥水性部８の表面を濡れ広がることなく、重力方向に垂れ下がりやすくなっている。
【００２１】
このように構成された第１の熱交換器９ａが、撥水性部８を反ファン側（吸気側）に向け、かつ、フィン２３の配列方向を水平方向に向けて通風路１９に配設されている。つまり、撥水性部８が、吸気側の長辺の縁部に沿って１５ｍｍの幅で形成されている。
このとき、気流の流れは重力方向を横切る方向であり、気流は吸気側の撥水性部８の長辺を略垂直方向に横切っている。
【００２２】
次にこのように構成される第１の熱交換器９ａのクリーニングについて説明する。
通常運転時（快適な室温での空気調和機の運転時）には、大多数の空気中の塵埃２０はフィルタ部２１のエアフィルタにて捕捉されるものの、エアフィルタをも通過した塵埃２０は通風路１９に沿って気流とともに移動する。
そして、通風路１９中の第１の熱交換器９ａなどに付着する塵埃２０の大部分は、フィン２３の空気吸入口１６ａ側、つまり吸気側の長辺縁部に形成されている撥水性部８に付着する。また、空気中の塵埃２０のほとんどは、親水性である。
【００２３】
第１の熱交換器９ａのクリーニング時には、通常運転時より、熱交換器９Ａの温度を下げ、フィン２３の表面に凝結水２８が生じさせる。このとき通風路１９を通りぬける気流は弱められており、凝結水２８はフィン２３の表面を略重力のかかる方向に沿って垂れ下がる。そして、凝結水２８は第１の熱交換器９ａの下方を覆うように設けられたドレンパン１８に落下し、ドレンパイプを経由して室外に排出される。
【００２４】
ここで、空気中の塵埃２０は親水性であるものがほとんどであるので、凝結水２８はフィン２３の表面に付着している塵埃２０を表面から剥離させて吸収し、塵埃２０と一緒に重力方向に垂れ下がる。そして、凝結水２８は、ドレンパン１８に落下し、ドレンパイプを経由して室外に排出されるので第１の熱交換器９ａに付着していた塵埃２０も一緒に排出される。
【００２５】
また、への字状に形成される熱交換器９Ａのうち、第２の熱交換器９ａ’のフィン２３においても、第１の熱交換器９ａと同様にフィン２３の両面に、撥水性部８と親水性部２４が形成され、冷媒配管４がフィン２３を貫通している。そして、第２の熱交換器９ａ’は、撥水性部８を吸気側（反ファン側）に向け、かつフィン２３の配列方向を水平方向に向けて通風路１９に配設されている。従って、第２の熱交換器９ａ’に到達した塵埃２０の大部分はその吸気側の撥水性部８に付着するので、上記説明と同様にクリーニング時に、撥水性部８に凝結される凝結水２８が塵埃を撥水性部８の表面から剥離させて吸収し、塵埃と一緒に重力方向に撥水性部８の面を垂れ下がる。そして、凝結水２８はドレンパイプを経由して室外に排出されるので第２の熱交換器９ａ’に付着していた塵埃２０も一緒に排出される。
【００２６】
この実施の形態１によれば、撥水性部８がフィン２３の両面に形成されている。従って、撥水性部８に生じる凝結水２８は球状に形成されるので、撥水性部８の表面から塵埃２０を剥離、吸収し、重力方向に容易に垂れ下がり、ドレンパン１８に落下する。よって、フィン２３に付着している塵埃２０が簡易に除去され、熱交換器９Ａのクリーニングが効果的に行われる。
また、撥水性部８が、塵埃２０が最も付着しやすいフィン２３の空気吸入口１６ａ側の長辺縁部に形成されているので、塵埃２０を効果的に除去することができる。また、撥水性部８の面積が少ないので、撥水性部８には凝結水２８が多量に形成されない。そこで凝結水２８が形成されすぎて、フィン２３の空隙を塞ぐようなブリッジを形成し、水が飛び散ることが未然に回避される。
【００２７】
なお、撥水性部８が、一方の長辺から他方の長辺側に１５ｍｍの幅でフィン２３の両面に形成されて、撥水性部８を吸気側に向けて熱交換器９Ａを配設するものとして説明したが、撥水性部８は、一方の長辺から他方の長辺側に５ｍｍから３５ｍｍの幅の両面に形成されているのが好ましい。つまり、５ｍｍ未満の幅では、凝結水２８の生成があまりにも少量すぎて重力方向の移動がうまく行われないので、塵埃２０がスムーズに除去されない。また、３５ｍｍを超えると撥水性部分の凝結水２８の量が多くなりすぎて、フィン２３の間のピッチを凝結水２８が塞ぐブリッジを起こし、気流の通気性が損なわれたり、室内機３から水が飛び散ったりすることがある。
【００２８】
また、撥水性の表面処理は、カップリング剤をフィン２３の表面に塗布して行うものとして説明したが、カップリング剤を用いたものに限定されるものではなく、フッ素系、シリコン系、アクリルシリコン系などの撥水性の樹脂皮膜やテフロン（デュポン社登録商標）微粒子等を含むコーティング剤を表面に形成したり、ＮｉやＣｒなどの無機物のめっきやスパッタによって表面を平滑化したりして、フィン２３の表面を撥水性にさせてもよい。
【００２９】
また、親水性の表面処理は、親水性の高分子材料をフィン２３の表面にコーティングして行うものとして説明したが、親水性の高分子材料を用いるものに限定されるものではなく、金属の酸化膜、窒化物、炭化物などの微粒子やこれらの混合物等をフィン２３の表面にコーティングさせて親水化させたり、陽極酸化などでアルミニウム表面を酸化させたりして行ってもよい。
【００３０】
また、冷媒配管４が、蛇行して、フィン２３の群をフィン２３の板厚方向に２列５行に貫通するものとして説明したが、冷媒配管はフィン２３を２列５行に貫通するものに限定さるものではなく、フィン２３の大きさなどによって、フィン２３を貫通する冷媒配管４の蛇行形状を決定すればよい。
【００３１】
実施の形態２．
図７はこの発明の実施の形態２に係る空気調和機の室内機の要部側面断面図であり、図８はこの発明の実施の形態２に係る空気調和機の熱交換器のフィン一枚ごとの構成を説明するための断面図である。
【００３２】
図７および図８において、メインパネル１３ｂは上記実施の形態１のメインパネル１３ａと同じ形状に形成され、空気吸入口１６ｂが、メインパネル１３ａの空気吸入口１６ａの位置に比べて、さらにメインパネル１３ｂの上部側に形成されている。このとき、ファン１０と空気吸入口１６ｂから取り入れられる空気の気流は水平面に対して７０度になっている。
【００３３】
熱交換器９Ｂは第３の熱交換器９ｂおよび第４の熱交換器９ｂ’で構成される。第３の熱交換器９ｂおよび第４の熱交換器９ｂ’は、実施の形態１の第１の熱交換器９ａおよび第２の熱交換器９ａ’において、流体誘導部としての切り起こし部２５がプレス加工によりフィン２３の両面の撥水性部８に凸に形成されたものである。この切り起こし部２５は、断面矩形の帯状に形成され、その上面が撥水性部８の親水性部２４側の縁部側から吸気側の縁部（一辺縁部）側に向かって漸次重力方向に傾斜するように延設されている。切り起こし部２５の上面は、撥水性部８の表面に対して垂直、あるいは僅かに上向き（撥水性部８とのなす角度が９０度より僅かに小さい）に切り起こされている。そして、５つの切り起こし部２５が、フィン２３の長辺の長さ方向に所定間隔で配列されている。ここで、切り起こし部２５はプレス加工で作製できるので、新たに切り起こし部２５を形成するための部材を用意する必要はない。
なお、他の構成は、上記実施の形態１と同様に構成されている。
【００３４】
このように構成された熱交換器９Ｂのクリーニングが上記実施の形態１と同様に行われると、撥水性部８の表面に発生した凝結水２８は、撥水性部８の表面から塵埃２０を剥離、吸収しつつ撥水性部８の表面を重力の方向に垂れ下がる。そして、凝結水２８が切り起こし部２５まで垂れ下がると、それ以上の重力方向の垂れ下がりが制限される。もし親水性部２４に凝結水２８が侵入すると、凝結水２８が少量である場合は、撥水性部８で発生した凝結水２８が剥離、吸収した塵埃２０が親水性部２４に濡れ広がって残留する場合がある。
しかし、切り起こし部２５に到達した凝結水２８は、切り起こし部２５の上面に沿ってフィン２３の吸気側の長辺縁部（一辺縁部）側に流れるので、凝結水２８が、撥水性部８の重力方向に位置する親水性部２４へ侵入することが制限される。
【００３５】
そして、切り起こし部２５の上面に案内されてフィン２３の吸気側の長辺縁部まで誘導された凝結水２８は、フィン２３の吸気側の長辺縁部に沿って底面パネル１４側に垂れ下がり、ついにはドレンパン１８に落下し、外部に排出される。
【００３６】
この実施の形態２によれば、切り起こし部２５が、その上面が撥水性部８の親水性部２４側の縁部側から吸気側の長辺縁部側に向かって漸次重力方向に傾斜するように、フィン２３の両面に形成された撥水性部８に突設されている。そこで、気流が水平方向に対して重力方向に傾いている場合でも、熱交換器９Ｂのクリーニング時に撥水性部８に生成される凝結水２８は、撥水性部８に沿って切り起こし部２５まで垂れ下がると、切り起こし部２５の上面に案内されて吸気側の長辺縁部に誘導され、フィン２３の吸気側長辺縁部に沿って垂れ下がり、ドレンパン１８に集められて外部に排出される。
従って、この実施の形態２では、上記実施の形態１の効果に加えて、気流が水平方向に対して重力方向に傾いている場合でも、撥水性部８に付着している塵埃２０を少量の凝結水２８と共に外部に排出させることができる効果が得られる。
【００３７】
なお、実施の形態２では、切り起こし部２５の数は５つ形成するものとして説明したが５つに限定されるものではなく、フィン２３の大きさに合わせて適宜形成する数を決定すればよい。
また、流体誘導部は、切り起こし部２５を形成するものとして説明したが、切り起こし部２５によるものに限定されるものではなく、撥水性部８に、穴加工を施し、その形状によって凝結水２８がフィン２３の吸気側の長辺縁部に流れやすいようにしたり、エンボス加工、付属物の設置による凸部を形成させたりして、凝結水２８がフィン２３の吸気側の長辺縁部に流れやすいようにしてもよい。
【００３８】
実施の形態３．
図９はこの発明の実施の形態３に係る空気調和機の熱交換器のフィン一枚ごとの構成を説明するための断面図である。
【００３９】
また、図９において、第５の熱交換器９ｃおよび第６の熱交換器９ｃ’で構成される熱交換器９Ｃのフィン２３の両面には、実施の形態１の熱交換器９Ａのフィン２３と同様に撥水性部８と親水性部２４が形成されている。そして、熱交換器９Ｃは、撥水性部８を吸気側に向けて配設される。このとき、気流がフィン２３の面と平行にかつ撥水性部８側の長辺を略直角に横切るように配設される。
さらに、フィン２３の両面に形成される撥水性部８には、流体誘導部としての親水性領域２６が形成されている。親水性領域２６のそれぞれは、撥水性部８両端縁部に至るように形成される。また、親水性領域２６は、親水性部２４側の縁部から吸気側の縁部に向かうにつれて重力方向に傾斜する線状パターンに形成される。そして、５本の線状の親水性領域２６が撥水性部８の領域内でフィン２３の長辺の長さ方向に所定間隔に配列されている。
【００４０】
線状の親水性領域２６の形成方法は、フィン２３の表面の撥水化の表面処理において、まず、カップリング剤のコーティング時に撥水性部８の中に親水性領域２６を形成したい部分をマスキングして、撥水性部８を形成する。そして、撥水性部８の形成に用いたマスクと逆形状のマスクで撥水性部８をマスキングした後、親水化の表面処理を行うことにより撥水性部８の領域内に線状の親水性領域２６が形成される。
なお、他の構成については実施の形態２と同様に構成されている。
【００４１】
このように構成された熱交換器９Ｃのクリーニングが実施の形態１と同様に行われると、撥水性部８の表面に生じさせた凝結水２８は、撥水性部８の表面から塵埃２０を剥離、吸収しつつ重力の方向に垂れ下がる。
そして、凝結水２８が撥水性部８の中に形成された線状の親水性領域２６に到達すると、凝結水２８は親水性領域２６に進路が制限される。ここで、凝結水２８は、親水性領域２６の部分では、脱離しにくくなる一方で、撥水性部８にも接触しているので親水性領域２６に沿った方向に流れやすくなっている。つまり、凝結水２８が、撥水性部８の重力方向に位置する親水性部２４へ侵入することが制限される。
【００４２】
そして、凝結水２８は親水性領域２６に沿ってフィン２３の吸気側の長辺縁部方向に向かう。さらに、撥水性部８の吸気側の長辺縁部まで誘導された凝結水２８は、長辺縁部に沿って底面パネル１４方向に垂れ下がり、ついにはドレンパン１８に落下しドレンパイプを経由して外部に排出される。
【００４３】
この実施の形態３によれば、フィン２３の撥水性部８に親水性領域２６が撥水性部８の長辺の両端縁部に至るように線状に形成されている。従って、気流が水平方向に対して重力方向に傾いている場合でも、熱交換器９Ｃのクリーニング時に生成される凝結水２８が、撥水性部８の表面から塵埃２０を剥離、吸収しつつ垂れ下がり、撥水性部８内に形成した親水性領域２６に沿って進路が制限されて、フィン２３の吸気側の長辺縁部に導かれる。さらに、凝結水２８は重力によって、撥水性部８の吸気側の縁部に沿った底面パネル１４側に垂れ下がり、ついにはドレンパン１８に落下して、さらにドレンパイプを経由して外部に排出される。
【００４４】
従って、実施の形態１に加えて、気流が水平方向に対して重力方向に傾いている場合でも、撥水性部８に付着される塵埃２０を少量の凝結水２８とともに外部に排出させることができるという効果が得られる。
また、親水性領域２６を形成したことにより、撥水性部８に形成された凝結水２８が熱交換器９Ｃから脱離しにくくなって、空気調和機の室内機の起動時等に水飛びを起こす可能性を低減できる。
【００４５】
なお、実施の形態３では、５本の親水性領域２６を形成するものとして説明したが、５本に限定されるものではなく、撥水性部８の形状に応じて形成数は適宜設定すればよい。
【図面の簡単な説明】
【００４６】
【図１】この発明の実施の形態１に係る空気調和機の動作を説明するための模式図である。
【図２】この発明の実施の形態１に係る空気調和機の室内機の要部の構成をわかりやすく説明するために構成要素を部分的に切除した斜視図である。
【図３】この発明の実施の形態１に係る空気調和機の室内機の側面断面図である。
【図４】この発明の実施の形態１に係る空気調和機の第１の熱交換器の構成を説明するための斜視図であり
【図５】この発明の実施の形態１に係る空気調和機の熱交換器のフィン一枚ごとの形状を説明するための断面図である。
【図６】接触角を説明するための断面図である。
【図７】この発明の実施の形態２に係る空気調和機の室内機の要部側面断面図である。
【図８】この発明の実施の形態２に係る空気調和機の熱交換器のフィン一枚ごとの構成を説明するための断面図である。
【図９】この発明の実施の形態３に係る空気調和機の熱交換器のフィン一枚ごとの構成を説明するための断面図である。
【符号の説明】
【００４７】
１Ａ  空気調和機、３  室内機、４  冷媒配管、８  撥水性部、９Ａ〜９Ｃ  熱交換器、１０  ファン、１１  筐体、１６ａ，１６ｂ  空気吸入口、１９  通風路、２３  フィン、２４  親水性部、２５  切り起こし部（流体誘導部）、２６  親水性領域（流体誘導部）、２８  凝結水。
【図１】
2007192513.tif 000003
【図２】
2007192513.tif 000004
【図３】
2007192513.tif 000005
【図４】
2007192513.tif 000006
【図５】
2007192513.tif 000007
【図６】
2007192513.tif 000008
【図７】
2007192513.tif 000009
【図８】
2007192513.tif 000010
【図９】
2007192513.tif 000011